(57)【要約】【課題】コンパクトで嵩張らず、安価、軽量で、手持ちの指輪がなくてもいつでも簡単に正確なサイズ計測が可能なリングゲージを提供すること。【解決手段】樹脂材料によって帯状に形成されて可撓性が備えられた本体部１２の先端側には複数のサイズ孔１４がその軸方向に並ぶように形成され、本体部１２の基端側にはサイズ孔１４内に圧入される固定用突起１８が突出形成され、本体部１２の基端には本体部１２の先端側を挿通する筒状挿通部２０が備えられている。本体部１２の先端側を筒状挿通部２０に挿通し、固定用突起１８をサイズ孔１４に圧入することによって所定のサイズのリングを形成し、これを指にはめることによって指のサイズを計測する。【選択図】図１
0003175222.tif 000002
【実用新案登録請求の範囲】
【請求項１】
指のサイズを計測するためのリングゲージであって、
樹脂材料によって帯状に形成されて可撓性が備えられた本体部と、該本体部の基端において軸方向に開口するように筒状に形成されて該本体部の基端の外側から該本体部全体でリングを形成するように該本体部の先端側が挿通される筒状挿通部と、を備え、
前記本体部の前記筒状挿通部に挿通される先端側には、前記本体部全体で形成されるリングのリングサイズを示すための複数のサイズ孔がその軸方向に並ぶように形成され、
前記本体部の基端側には、前記筒状挿通部に挿通された先端側のサイズ孔のうちの一部に厚さ方向で重ね合わされてそのサイズ孔内に圧入される固定用突起がその本体部の面から外側に向かって突出形成されており、
前記本体部の先端が前記筒状挿通部に挿通されるとともに前記固定用突起が前記サイズ孔に圧入されることによって前記本体部がリング状に固定され、このときのサイズ孔のサイズ表示を利用して指のサイズを計測するものであることを特徴とするリングゲージ。
【請求項２】
前記本体部の固定用突起が形成されている部分と複数のサイズ孔が形成されている部分の間には、前記本体部の幅方向の両側から本体部の面の外側に向かって延びるとともにその延びた先が互いに向かい合う幅方向内側に膨出するフック状の係止部が形成され、前記固定用突起が圧入されるサイズ孔よりも先端側の本体部が該フック状の係止部内に嵌め込まれることで係止されることを特徴とする請求項１に記載のリングゲージ。
【請求項３】
前記筒状挿通部の底部の板厚が軸方向の外側に向かって薄くなって前記筒状挿通部の内底面が軸方向の外側に向かって下がる方向に傾斜していることを特徴とする請求項１または２に記載のリングゲージ。
【請求項４】
前記サイズ孔は、１〜３０のリングサイズ表示に対応するサイズ孔よりも軸方向の外側まで形成されていることを特徴とする請求項１または２に記載のリングゲージ。
【請求項５】
前記本体部の固定用突起が形成されている部分と複数のサイズ孔が形成されている部分の間には、前記本体部の軸方向に開口するように筒状の第２の筒状挿通部が形成され、前記固定用突起が圧入されるサイズ孔よりも先端側の本体部が該筒状の第２の筒状挿通部内に挿通されることを特徴とする請求項１に記載のリングゲージ。
【考案の詳細な説明】
【技術分野】
【０００１】
本考案は、指のサイズを計測するためのリングゲージに関するものである。
【背景技術】
【０００２】
店頭など実際の商品を手に取って確認できる場合においては、指輪を購入する際には、事前に試着をしてリングサイズが合うかどうかの確認が行われている。しかしながら、例えばオンラインショッピングを利用するなど実際の商品を手に取って確認できない場合においては、事前に試着をすることができないため、顧客側で事前にリングサイズを計測する必要がある。
【０００３】
リングサイズを計測する手段としては、１）リングサイズが目盛として刻まれた金属製のテーパ棒よりなるリングゲージ棒を用いて手持ちの指輪を計測することにより行う方法、２）サイズの異なる複数の金属製のリングが束ねられたものを用いていずれかのサイズのリングを実際に指にはめることにより行う方法、３）平板上にサイズの異なる複数の円孔が形成されたテンプレート型リングゲージを用いて手持ちの指輪を重ね合わせたり円孔に指を通すことにより行う方法、４）メジャーを指に巻き付けることにより行う方法、などが知られている。
【先行技術文献】
【特許文献】
【０００４】
【特許文献１】実用新案登録第３１４９５５９号公報
【特許文献２】実用新案登録第３０１８３９９号公報
【特許文献３】実用新案登録第３０９１０２７号公報
【特許文献４】実用新案登録第３１３６０７７号公報
【考案の概要】
【考案が解決しようとする課題】
【０００５】
しかしながら、上記１）の方法は、リングゲージ棒が高価であること、重量が重くて送料のコストがかかること、手持ちの指輪がなければ測定できないことなどの問題がある。上記２）の方法は、リングゲージが高価であること、重量が重くて送料のコストがかかることなどの問題がある。上記３）の方法は、平板上に形成された複数の円孔同士を繋いでいるフレームの部分がじゃまとなって目的とするサイズの円孔に指を通しにくいこと、無理に指を通そうとすると指を必要以上に広げるので正確な指のサイズを計測するのが難しいことなどの問題がある。上記４）の方法は、メジャーを巻き付ける位置によって計測されるサイズに違いが生じるおそれがあり、例えば指の最も太い部分を見極めてその部分にメジャーを巻き付けてサイズを計測するのが難しいという問題がある。また、一人では自分の指にメジャーを巻き付けるのが難しいという問題がある。
【０００６】
本考案は、上記事情に鑑みて考案されたものであり、本考案が解決しようとする課題は、コンパクトで嵩張らず、安価、軽量で、手持ちの指輪がなくてもいつでも簡単に正確なサイズ計測が可能なリングゲージを提供することにある。
【課題を解決するための手段】
【０００７】
上記課題を解決するため本考案に係るリングゲージは、指のサイズを計測するためのリングゲージであって、樹脂材料によって帯状に形成されて可撓性が備えられた本体部と、該本体部の基端において軸方向に開口するように筒状に形成されて該本体部の基端の外側から該本体部全体でリングを形成するように該本体部の先端側が挿通される筒状挿通部と、を備え、前記本体部の前記筒状挿通部に挿通される先端側には、前記本体部全体で形成されるリングのリングサイズを示すための複数のサイズ孔がその軸方向に並ぶように形成され、前記本体部の基端側には、前記筒状挿通部に挿通された先端側のサイズ孔のうちの一部に厚さ方向で重ね合わされてそのサイズ孔内に圧入される固定用突起がその本体部の面から外側に向かって突出形成されており、前記本体部の先端が前記筒状挿通部に挿通されるとともに前記固定用突起が前記サイズ孔に圧入されることによって前記本体部がリング状に固定され、このときのサイズ孔のサイズ表示を利用して指のサイズを計測するものであることを要旨とするものである。
【０００８】
この際、前記本体部の固定用突起が形成されている部分と複数のサイズ孔が形成されている部分の間には、前記本体部の幅方向の両側から本体部の面の外側に向かって延びるとともにその延びた先が互いに向かい合う幅方向内側に膨出するフック状の係止部が形成され、前記固定用突起が圧入されるサイズ孔よりも先端側の本体部が該フック状の係止部内に嵌め込まれることで係止されることが好ましい。また、前記筒状挿通部の底部の板厚が軸方向の外側に向かって薄くなって前記筒状挿通部の内底面が軸方向の外側に向かって下がる方向に傾斜していることが好ましい。さらに、前記サイズ孔は、１〜３０のリングサイズ表示に対応するサイズ孔よりも軸方向の外側まで形成されていることが好ましい。
【０００９】
そして、前記本体部の固定用突起が形成されている部分と複数のサイズ孔が形成されている部分の間には、前記本体部の軸方向に開口するように筒状の第２の筒状挿通部が形成され、前記固定用突起が圧入されるサイズ孔よりも先端側の本体部が該筒状の第２の筒状挿通部内に挿通されるものであっても良い。
【考案の効果】
【００１０】
本考案に係るリングゲージによれば、本体部の基端側に形成された筒状挿通部に本体部の先端側が挿通されることによって本体部全体でリングが形成される。このようにして形成されたリングが指のサイズを計測するためのリングとして用いられる。リングのサイズは、本体部の基端側に形成された固定用突起に重ね合わせる本体部の先端側のサイズ孔の位置によって調整できる。固定用突起がサイズ孔に圧入されることによって本体部がリング状に固定され、このときのサイズ孔のサイズ表示を利用して指のサイズが計測される。
【００１１】
指のサイズは、指のサイズを予測して予め所定のサイズに合わせてリングゲージでリングを形成し、これを指にはめることで計測することができる。このため、手持ちの指輪がなくてもいつでも簡単に正確なサイズ計測が可能である。また、１本のリングゲージによってリングのサイズ調整が広範囲に可能である。このため、構成は非常にコンパクトになり、嵩張ることもない。また、軽量で安価である。
【００１２】
このとき、本体部の固定用突起が形成されている部分と複数のサイズ孔が形成されている部分の間にフック状の係止部が形成されていると、固定用突起が圧入されるサイズ孔よりも先端側の本体部がこのフック状の係止部内に嵌め込まれて係止される。これにより、本体部の固定用突起が形成されている部分から本体部のサイズ孔が形成されている部分が外れにくくされる。また、本体部の固定用突起が形成されている部分と本体部のサイズ孔が形成されている部分の密着性が高められるので、本体部全体で形成されるリングの形状が安定しやすい。このため、指のサイズの計測時にはリング状にされたリングゲージがもとの帯状にばらけにくく、指のサイズの測定がやりやすい。
【００１３】
そして、筒状挿通部の底部の板厚が軸方向の外側に向かって薄くなって筒状挿通部の内底面が軸方向の外側に向かって下がる方向に傾斜していると、筒状挿通部の端縁での底部の板厚が薄くなる。そうすると、筒状挿通部とこれに挿通される本体部との間で挿通部分に生じる段差が小さくなる。これにより、リング内の指に接触されない非接触空間が小さくなるので、より正確に指のサイズを計測することができる。
【００１４】
また、サイズ孔が１〜３０のリングサイズ表示に対応するサイズ孔よりも軸方向の外側まで形成されていれば、この範囲よりも大きいサイズのリングやこの範囲よりも小さいベビーリングなどの計測にも対応できる。これだけでなく、本体部の可撓性をより高めて曲げやすくすることができる。そうすると、より円形に近い形でリングを形成することができるため、より正確に指のサイズを計測することができる。
【００１５】
そして、本体部の固定用突起が形成されている部分と複数のサイズ孔が形成されている部分の間に筒状の第２の筒状挿通部が形成されていると、固定用突起が圧入されるサイズ孔よりも先端側の本体部がこの第２の筒状挿通部内に挿通される。これにより、本体部の固定用突起が形成されている部分から本体部のサイズ孔が形成されている部分が外れにくくされる。また、本体部の固定用突起が形成されている部分と本体部のサイズ孔が形成されている部分の密着性が高められるので、本体部全体で形成されるリングの形状が安定しやすい。このため、指のサイズの計測時にはリング状にされたリングゲージがもとの帯状にばらけにくく、指のサイズの測定がやりやすい。
【図面の簡単な説明】
【００１６】
【図１】本考案の一実施形態に係るリングゲージの平面図（ａ）と正面図（ｂ）である。
【図２】本考案の一実施形態に係るリングゲージの左側面図（ａ）と右側面図（ｂ）である。
【図３】本考案の一実施形態に係るリングゲージによってリングを形成する過程を示した模式図である。
【図４】本考案の一実施形態に係るリングゲージにおいて、フック状の係止部に本体部が嵌め込まれる過程を示した模式図である。
【図５】サイズ孔のサイズ表示を利用したサイズの見方の一例を示す図である。
【図６】本考案の他の実施形態に係るリングゲージの平面図（ａ）と正面図（ｂ）である。
【図７】本考案の他の実施形態に係るリングゲージの左側面図（ａ）と右側面図（ｂ）である。
【図８】サイズ孔のサイズ表示を利用したサイズの見方の他の例を示す図である。
【考案を実施するための形態】
【００１７】
次に、本考案の実施形態について詳細に説明する。図１〜図５は、本考案の一実施形態に係るリングゲージを説明する図である。
【００１８】
本考案の一実施形態に係るリングゲージ１０の本体部１２は、樹脂材料によって帯状に形成されて可撓性が備えられたものからなる。本体部１２の先端側には、複数のサイズ孔１４が本体部１２の軸方向に並ぶように形成されている。サイズ孔１４は、本体部１２の厚さ方向に本体部１２を貫通するように形成されている。サイズ孔１４には、リングサイズを示す目盛１６が付けられている。リングサイズとは、本体部１２全体によって形成されるリングのサイズである。
【００１９】
サイズ孔１４は、本体部１２の幅方向の一方の端によせて形成されており、リングサイズを示す目盛１６を付けるスペースを広くして目盛１６を大きく読みやすいようにしている。また、目盛１６の数字は、サイズ孔１４に対して１つおきに付けられており、目盛１６の数字が混雑しないようにして読みやすくしている。さらに、目盛１６の数字とサイズ孔１４の対応関係をわかりやすくするため、目盛１６の数字が付けられているサイズ孔１４には補助線１４ａが本体部１２の幅方向に引かれている。
【００２０】
リングサイズで主に使用される範囲は１〜３０（号）の範囲であるが、リングゲージ１０の本体部１２には、１よりも小さいサイズや３０よりも大きいサイズに対応するサイズ孔１４が形成されている。これにより、１よりも小さいベビーリングなどにも対応できるし、３０よりも大きいサイズにも対応できるようになっている。
【００２１】
本体部１２の基端側には、３つの固定用突起１８が本体部１２の軸方向に並ぶように形成されている。固定用突起１８は、本体部１２の面から外側に向かって柱状に突出形成されている。３つの固定用突起１８のうちの真ん中は端の２つよりもやや高く形成されている。
【００２２】
本体部１２の基端には、筒状挿通部２０が本体部１２と一体となるように延設形成されている。筒状挿通部２０は、外周および内周がいずれも四角形状となる四角筒状で本体部１２の軸方向にそって開口している。筒状挿通部２０の内幅Ｗ１は本体部１２の幅よりやや大きく、筒状挿通部２０の内高Ｈ１は本体部１２の板厚よりやや大きく、筒状挿通部２０はその内部に本体部１２がちょうど挿通される大きさになっている。筒状挿通部２０の底部２０ａの板厚は、軸方向の外側に向かって薄くなっており、筒状挿通部２０の内底面２０ｂは、軸方向の外側に向かって下がる方向に傾斜している。このため、図２（ａ）を見ればわかるように、筒状挿通部２０の開口端は、幅方向では筒状挿通部２０の中央位置にあるものの、高さ方向では全体的に筒状挿通部２０の中心位置よりも下がった位置にある。したがって、筒状挿通部２０の端縁２０ｃでは、筒状挿通部２０の底部２０ａの板厚が薄くなっている。
【００２３】
本体部１２の固定用突起１８が形成されている部分とサイズ孔１４が形成されている部分の間には、フック状の係止部２２が本体部１２と一体となるように形成されている。フック状の係止部２２は、図２（ｂ）に示すように、本体部１２の幅方向の両側から本体部１２の面の外側に向かって延びるとともにその延びた先が互いに向かい合う幅方向内側に膨出する形状をしている。この膨出部２２ｃは、本体部１２の幅方向の端からやや内側に入り込む程度の長さに形成され、互いに向かい合う膨出部２２ｃ同士が接触しない長さとされており、フック状の係止部２２の上部は解放されている。本体部１２の幅方向の両側から本体部１２の面の外側に向かって延びる延出軸２２ａは、その基部２２ｂを支点として本体部１２の幅方向内外に弾性変形可能になっており、本体部１２の幅方向外側に広がることで膨出部２２ｃ間の解放領域が広がって係止部２２内に本体部１２の先端側を嵌め込み可能にし、本体部１２の幅方向内側に戻る（弾性復帰する）ことで膨出部２２ｃ間の解放領域が狭まって係止部２２内に嵌め込まれた本体部１２の先端側が係止部２２から抜け出すのを抑えるようになっている。
【００２４】
本体部１２の長さは、指の長さを測るのに十分な長さであれば問題ないが、好適な長さとしては、９〜１１ｃｍの範囲内である。本体部１２の幅は、特に限定されるものではないが、好適な幅としては、３〜８ｍｍの範囲内である。より好ましくは３〜６ｍｍの範囲内である。本体部１２の板厚は、特に限定されるものではないが、後から曲げてリングを作る都合上、曲げやすさなどを考慮して、０．５〜２ｍｍの範囲内が好ましい。より好ましくは０．５〜１．５ｍｍの範囲内である。サイズ孔１４の孔径としては、特に限定されるものではないが、圧入しやすさや強度などを考慮すると、１ｍｍ程度が好ましい。また、固定用突起１８の外径も１ｍｍ程度が好ましい。サイズ孔１４の間隔および固定用突起１８の間隔は、指の大きさが１号増加するに伴い周長が１．０ｍｍ増加する場合と１．１ｍｍ増加する場合とがあるため、平均して１．０５ｍｍに設定する。
【００２５】
以上の構成のリングゲージ１０を用いて指のサイズを計測するには、指のサイズを予測して予め所定のサイズに合わせてリングゲージ１０でリングを形成し、これを指にはめることによって行われる。例えば指のサイズが１１号であると予測した場合には、予め１１号のサイズに合わせてリングゲージ１０でリングを形成し、これが指にうまくはまるか否かによって最適なリングサイズを判断する。大きすぎる、あるいは小さすぎると判断した場合には、サイズを変更して再度リングゲージ１０でリングを形成し、これを指にはめてみる。これを繰り返して、最終的に適合する最適なリングサイズを判断する。
【００２６】
リングゲージ１０のリングは、図３（ａ）に示すように、本体部１２の基端側に形成された筒状挿通部２０に本体部１２の先端側を挿通し、本体部１２の基端側に形成された固定用突起１８に所定の位置のサイズ孔１４を重ね合わせた後、図３（ｂ）に示すように、所定の位置のサイズ孔１４に固定用突起１８を圧入し、さらに、この固定用突起１８が圧入されたサイズ孔１４よりも先端側の本体部１２をフック状の係止部２２の上に配置して係止部２２内に本体部１２を嵌め込むことにより形成される。リングサイズは、本体部１２の基端側に形成された固定用突起１８に重ね合わせる本体部１２の先端側のサイズ孔１４の位置によって調整できる。図４（ａ）に示すようにフック状の係止部２２の上に配置された本体部１２は、図４（ｂ）に示すようにフック状の係止部２２の膨出部２２ｃに抗して上から押し込まれる。このとき、フック状の係止部２２の延出軸２２ａがその基部２２ｂを支点として本体部１２の幅方向外側に広がり、膨出部２２ｃ間の解放領域が広げられて、係止部２２内に本体部１２の先端側が嵌め込まれる。その後、図４（ｃ）に示すように延出軸２２ａが本体部１２の幅方向内側に弾性復帰して膨出部２２ｃ間の解放領域が狭められることで、膨出部２２ｃが本体部１２の上に係り、膨出部２２ｃが引っ掛かりとなって係止部２２内に本体部１２の先端側が保持される。
【００２７】
リングゲージ１０によって形成されたリングのサイズは、図５に示すように、筒状挿通部２０の端縁２０ｄにかかるサイズ孔１４およびその数字がサイズ表示であるとして計測される。この際、筒状挿通部２０の端縁２０ｄにかかるので、数字が読みにくい場合がある。この場合には、点線２４で示すように、筒状挿通部２０の上部に軸方向に切り欠かれた切欠部分を設けて、筒状挿通部２０の端縁２０ｄにかかる数字を見やすいようにすることもできる。
【００２８】
以上の構成のリングゲージ１０によれば、手持ちの指輪がなくてもいつでも簡単に正確なサイズ計測が可能である。また、１本のリングゲージ１０によってリングのサイズ調整が広範囲に可能である。このため、構成は非常にコンパクトになり、嵩張ることもない。また、軽量で安価である。
【００２９】
フック状の係止部２２は、本体部１２の固定用突起１８が形成されている部分から本体部１２のサイズ孔１４が形成されている部分を外れにくくする。また、本体部１２の固定用突起１８が形成されている部分と本体部１２のサイズ孔１４が形成されている部分の密着性を高める。これにより、本体部１２全体で形成されるリングの形状が安定化される。このため、指のサイズの計測時にはリング状にされたリングゲージ１０がもとの帯状にばらけにくく、指のサイズの測定がやりやすくなる。
【００３０】
筒状挿通部２０の内底面２０ｂの傾斜は、筒状挿通部２０の端縁２０ｃでの底部２０ａの板厚を薄くする。これは、筒状挿通部２０とこれに挿通される本体部１２との間で挿通部分Ａに生じる段差に影響し、段差を小さくする。これにより、リング内の指に接触されない非接触空間が小さくなるので、より正確に指のサイズを計測することができる。
【００３１】
サイズ孔１４は、本体部１２の可撓性をより高めて本体部１２を曲げやすくする。１〜３０のリングサイズ表示に対応するサイズ孔１４よりも軸方向の外側にまでサイズ孔１４を形成したことで、広範囲にわたって本体部１２が曲がりやすくなっている。このため、より円形に近い形でリングを形成でき、より正確に指のサイズを計測できる。
【００３２】
次に、本考案の他の実施形態に係るリングゲージについて説明する。図６〜図８は、本考案の他の実施形態に係るリングゲージを説明する図である。
【００３３】
他の実施形態に係るリングゲージ３０は、一実施形態に係るリングゲージ１０と比較して、フック状の係止部２２となっていない点、および、固定用突起１８に目印が付されている点が相違する。これ以外の構成については一実施形態に係るリングゲージ１０と同様であるため、説明を省略する。
【００３４】
図６に示すように、他の実施形態に係るリングゲージ３０では、フック状の係止部２２に代えて、第２の筒状挿通部２６が形成されている。図７（ｂ）に示すように、第２の筒状挿通部２６は、外周および内周がいずれも四角形状となる四角筒状で本体部１２の軸方向にそって開口している。第２の筒状挿通部２６の内幅Ｗ２は本体部１２の幅よりやや大きく、第２の筒状挿通部２６の内高Ｈ２は本体部１２の板厚よりやや大きく、第２の筒状挿通部２６はその内部に本体部１２がちょうど挿通される大きさになっている。
【００３５】
第２の筒状挿通部２６では、上面に解放された部分がないため、本体部１２を上から押し込んで係止させることができない。このため、本体部１２の先端を第２の筒状挿通部２６の基端側開口端２６ａから挿入し、第２の筒状挿通部２６の先端側開口端２６ｂから引っ張り出すことによって本体部１２が第２の筒状挿通部２６に挿通される。
【００３６】
リングゲージ３０は小さいものであるから、筒状挿通部２０だけでなく第２の筒状挿通部２６にも本体部１２の先端を挿通させる他の実施形態のリングゲージ３０では、作業が煩雑になる。これに対し、一実施形態のリングゲージ１０では、本体部１２の先端を挿通させるのは筒状挿通部２０だけで、固定用突起１８が圧入されるサイズ孔１４よりも先端側の本体部１２は、フック状の係止部２２の上に配置して上から押し込むことによってフック状の係止部２２に係止されるので、作業性に優れる。
【００３７】
また、他の実施形態に係るリングゲージ３０では、３つの固定用突起１８のうちの真ん中に色が付されている。図８に示すように、本体部１２の基端側に形成された固定用突起１８に所定の位置のサイズ孔１４を重ね合わせた後、所定の位置のサイズ孔１４に固定用突起１８を圧入すると、上から見たときに、色が付されている突起の位置が確認できる。この位置にあるサイズ孔１４およびその数字がサイズ表示であるとしてサイズを計測する。
【００３８】
以上、本考案の実施の形態について詳細に説明したが、本考案は上記実施の形態に何ら限定されるものではなく、本考案の要旨を逸脱しない範囲で種々の改変が可能である。
【００３９】
例えば上記実施形態では、固定用突起１８の数を複数にする、とりわけ３つにする点が示されているが、本体部１２から取れて容易に壊れるものでなければ、１つであっても良い。また、固定用突起１８の数が多ければ多いほど、固定用突起１８が形成されている部分とサイズ孔１４が形成されている部分の密着力が高まるが、その反面外れにくくなることもあるため、密着力と取り外し容易性のバランスを考慮して固定用突起１８の数を定めるなどの工夫をすると良い。
【符号の説明】
【００４０】
１０  リングゲージ
１２  本体部
１４  サイズ孔
１６  目盛
１８  固定用突起
２０  筒状挿通部
２２  フック状の係止部
【図１】
0003175222.tif 000003
【図２】
0003175222.tif 000004
【図３】
0003175222.tif 000005
【図４】
0003175222.tif 000006
【図５】
0003175222.tif 000007
【図６】
0003175222.tif 000008
【図７】
0003175222.tif 000009
【図８】
0003175222.tif 000010